(57)【要約】【課題】簡単な操作で吸引ＯＮ操作の直後から高い吸引圧力で吸引を行う。【解決手段】弁ガイド部材２４の管路の内壁に、負圧源通路２１に通じる接続口４５を設ける。弁ガイド部材２４に、接続口４５を開閉するプランジャ２５を設ける。弁ガイド部材２４に、キャップ２６と対向する位置に開口した通気用開口４７と、負圧源通路２１内で開口した通路内開口４８とを接続する通気路４９を設ける。キャップ２６に、蓋部６２上でかつ通気用開口４７の上方の位置にする押圧操作部７４と、そのスカート部６３の通気用開口４７に対向する面に傾斜面７５を形成する。吸引ＯＮ前に、押圧操作部７４を押圧操作して通気用開口４７を傾斜面７５で塞ぐ。押圧操作部７４を押圧操作するだけの簡単な操作で、吸引ポンプ２０のポンプ圧を予め高くしておくことができるので、吸引ＯＮ操作の直後から高い吸引圧力で吸引を開始することができる。【選択図】図９
2012071021.tif 000002
【特許請求の範囲】
【請求項１】
内視鏡の操作部に設けられるとともに、内視鏡挿入部の先端に開口した吸引口に通じる吸引通路と、負圧源に接続した負圧源通路とが接続されており、前記負圧源通路を大気に連通または大気との連通を遮断して前記吸引通路に連通させる内視鏡の吸引ボタンにおいて、
前記操作部に設けられたシリンダであり、その一端がシリンダ開口で開放されるとともに他端が前記吸引通路に接続されたシリンダと、前記シリンダの管路内に開口した接続口に接続した前記負圧源通路とを有するシリンダ装置と、
前記管路に移動自在に収容され、前記シリンダ開口から突出した軸先端部を有する本体軸部と、前記本体軸部の軸後端部に設けられた弁部とを有するプランジャであって、前記軸先端部が押圧操作されていないときに、前記弁部により前記負圧源通路と前記吸引通路との連通を遮断する遮断状態になり、押圧操作により前記軸先端部が前記シリンダ開口内に所定量押し込まれたときに、前記弁部による遮断が解除されて前記負圧源通路と前記吸引通路とを連通する連通状態になるプランジャと、
前記シリンダ装置に設けられ、前記シリンダ開口の周辺部に開口した周辺開口を前記負圧源通路に連通させる通気路と、
前記軸先端部とは別体に設けられ、前記プランジャが前記遮断状態であるときに前記周辺開口上で押圧操作を受ける押圧操作部と、前記周辺開口に対向する開口対向面とを有しており、前記押圧操作部が押圧操作されるまでは、前記開口対向面と前記周辺開口との間に隙間を形成することで前記通気路を介して前記負圧源通路を大気に連通させるとともに、前記押圧操作部が押圧操作されたときに、前記プランジャの前記遮断状態を解除することなく前記開口対向面を前記周辺開口に圧接させて当該周辺開口を塞ぐことで前記負圧源通路の大気との連通を遮断する大気連通制御手段と、
を備えることを特徴とする内視鏡の吸引ボタン。
【請求項２】
前記大気連通制御手段は、前記軸先端部の先端に連結された蓋部と、前記周辺部に連結されるとともに、前記軸先端部の外周を囲むスカート部とが一体形成された弾性材料からなるキャップであり、前記蓋部上でかつ前記軸先端部に対して偏心した位置に前記押圧操作部が設けられているとともに、前記スカート部の前記周辺部に対向する面の一部が前記開口対向面になることを特徴とする請求項１記載の内視鏡の吸引ボタン。
【請求項３】
前記開口対向面は傾斜面であることを特徴とする請求項２記載の内視鏡の吸引ボタン。
【請求項４】
前記傾斜面は、前記スカート部の内側から外側に向かうに従い次第に前記周辺部から離れるように傾斜していることを特徴とする請求項３記載の内視鏡の吸引ボタン。
【請求項５】
前記シリンダ開口の周辺部上で、かつ前記周辺開口よりも前記シリンダ開口に近い位置に当該シリンダ開口を囲む環状の筒部が形成されるとともに、
前記軸先端部の先端に連結された蓋部と、前記軸先端部の外周を囲むスカート部と、前記筒部が嵌合する第１嵌合穴を有し、当該筒部に連結する環状の底部とが一体形成されてなるキャップを備え、
前記大気連通制御手段は、
前記周辺部と前記底部との間に設けられ、前記筒部が嵌合する第２嵌合穴を有し、前記周辺部を隙間をあけて覆う環状体であって、その底面の一部が前記開口対向面となる環状体と、
前記蓋部上でかつ前記周辺開口の略上方に設けられた第１押圧操作部を有し、前記第１押圧操作部が押圧操作されたときに、前記キャップを介して前記環状体を前記周辺開口に圧接させて当該周辺開口を塞ぐ押圧ブロックと、
前記環状体と前記押圧ブロックとを連結する連結アームとを備えることを特徴とする請求項１記載の内視鏡の吸引ボタン。
【請求項６】
前記環状体は、弾性材料からなり、内縁部から外縁部に向かうに従い次第に前記周辺部から離れる略凹錐形状に形成されているとともに、当該環状体における前記押圧ブロックと前記周辺開口との間に位置する開口対向部分の底面が前記開口対向面となり、
前記押圧ブロックは、前記蓋部の外周側に位置する第２押圧操作部を有するとともに、
前記連結アームは、前記プランジャの軸方向に長く延びた略柱形状を有しており、前記スカート部の側方を通って、前記第２押圧操作部と前記開口対向部分の外縁部とを連結しており、
前記第１押圧操作部の押圧操作解除後に前記第２押圧操作部が押圧操作されたときに、前記連結アームを介して前記開口対向部分の外縁部が押圧されることで当該開口対向部分の内縁部に前記周辺部から離れる方向の力が作用して、この力により前記開口対向面が前記周辺開口から離れることを特徴とする請求項５記載の内視鏡の吸引ボタン。
【請求項７】
前記キャップは、前記プランジャを前記遮断状態で維持することを特徴とする請求項２ないし６いずれか１項記載の内視鏡の吸引ボタン。
【請求項８】
前記周辺開口の周縁部、及び前記開口対向面の少なくともいずれか一方が粘着性を有していることを特徴とする請求項１ないし７いずれか１項記載の内視鏡の吸引ボタン。
【請求項９】
前記周辺開口の周縁部に、当該周辺開口を囲むように略環状の凸部が形成されていることを特徴とする請求項１ないし８いずれか１項記載の内視鏡の吸引ボタン。
【請求項１０】
前記プランジャは、前記弁部の底面に開口した底面開口と前記本体軸部の側面に開口した側面開口とを連通する内部管路とを有しており、前記遮断状態時には前記接続口に対して前記側面開口の位置がシリンダ一端側にずれるとともに、前記弁部が前記接続口を塞ぐことで前記負圧源通路と前記吸引通路との連通を遮断し、前記連通状態時には前記弁部がシリンダ他端側にずれて前記接続口を開放するとともに、前記側面開口が前記接続口の略前方に移動することで、前記負圧源通路と前記吸引通路とを連通することを特徴とする請求項１ないし９いずれか１項記載の内視鏡の吸引ボタン。
【発明の詳細な説明】
【技術分野】
【０００１】
本発明は、内視鏡挿入部の先端に開口した吸引口からの体液等の吸引を制御する内視鏡の吸引ボタンに関する。
【背景技術】
【０００２】
一般に内視鏡の挿入部内には、その先端面の吸引口に通じる吸引通路が設けられている。この吸引通路は操作部に設けられた吸引ボタンに接続している。このような吸引通路としては、鉗子等の処置具の挿通や洗浄水などの噴射に使用される鉗子チャネルがよく利用されており、この鉗子チャネルの途中から分岐した吸引通路が吸引ボタンに接続している。
【０００３】
吸引ボタンには、吸引通路の他に、吸引ポンプ等の負圧源に通じる負圧源通路が接続している。吸引ボタンは、術者の押圧操作により吸引通路と負圧源通路とを連通して吸引口から吸引を行わせ、この押圧操作が解除されたときに吸引通路と負圧源通路との連通を遮断して吸引口からの吸引を停止させる（特許文献１及び２参照）。
【０００４】
このような吸引ボタンには、図２２（Ａ），（Ｂ）に示すように、内視鏡の操作部に設けられ、先端が操作部外で開口し後端が吸引通路１１０に接続したシリンダ１１１と、シリンダ１１１の管路１１２内に設けられた弁受け部１１３と、この管路１１２の途中に開口しており、負圧源通路１１４に連通する接続口１１５と、管路１１２に移動自在に装着され、シリンダ先端側のシリンダ開口１１６から突出した軸先端部１１７ａを有する本体軸部１１７、この本体軸部１１７の外周面にその軸方向に沿って形成された連通路１１８、及び本体軸部１１７の軸後端部に設けられた弁部１１９を備えるプランジャ１２０と、通気穴１２１を有し、プランジャ１２０の先端とシリンダ１１１の先端とを連結するキャップ１２２とで構成されているものが良く知られている。
【０００５】
上記構成の吸引ボタンでは、図２２（Ａ）に示すように軸先端部１１７ａが押圧操作されていない場合、弁部１１９が弁受け部１１３に当接することで吸引通路１１０と負圧源通路１１４との連通が遮断される。このとき接続口１１５は、連通路１１８及び通気穴１２１などを介して大気と連通する。これは吸引ポンプが常時作動しているので、負圧源通路１１４が大気と連通しないと、吸引ポンプのポンプ圧が増加しこれに伴い吸引ポンプに掛かる負荷が増加するためである。このため、負圧源通路１１４を大気と連通させることで吸引ポンプの負荷の増加が抑えられる。
【０００６】
一方、図２２（Ｂ）に示すように、押圧操作により軸先端部１１７ａがシリンダ開口１１６内に所定量だけ押し込まれると、弁部１１９が弁受け部１１３から離れることにより、吸引通路１１０と負圧源通路１１４とが連通する。また、これと同時に、軸先端部１１７ａに装着されたＯリング１２３がシリンダ開口１１６に圧着されて負圧源通路１１４と大気との連通が遮断される。これにより、吸引ポンプの吸引によって負圧源通路１１４、管路１１２、及び吸引通路１１０内の負圧吸引力が増加して、吸引口からの吸引が開始される。
【０００７】
ところで、上記構成の吸引ボタンでは、軸先端部１１７ａをシリンダ開口１１６内に押し込む吸引ＯＮ操作と同時に負圧源通路１１４と大気との連通を遮断するので、この吸引ＯＮ操作時点では吸引ポンプのポンプ圧はほぼ最小値であり、この吸引ＯＮ操作後からポンプ圧が次第に高くなる。このように、吸引ＯＮ操作がなされてからしばらくの間はポンプ圧が低いため、低い吸引圧力でしか吸引を行うことができず、吸引物の吸引が上手くいかないおそれがある。また、ポンプ圧が十分に高くなるまで吸引ＯＮ操作を継続する場合には、吸引時間が長くなり過ぎるという問題が生じる。
【０００８】
特許文献３には、上記の管路１１２、弁受け部１１３、シリンダ開口１１６、弁部１１９、Ｏリング１２３などの形状及び位置を適宜調整して、軸先端部１１７ａが押圧されていないときは負圧源通路１１４を大気（通気穴１２１）と連通させるとともに、軸先端部１１７ａが所定ストローク量の半分だけ押し込まれたときに負圧源通路１１４と大気との連通を遮断する吸引ボタンが記載されている。これにより、吸引ＯＮ操作前にポンプ圧を予め高くしておくことができるので、吸引ＯＮ操作時から高い吸引圧力で吸引を行うことができる。
【先行技術文献】
【特許文献】
【０００９】
【特許文献１】特開平１１−２１６１０４号公報
【特許文献２】特開２００８−２２８９９０号公報
【特許文献３】特開２００９−２２５９０８号公報
【発明の概要】
【発明が解決しようとする課題】
【００１０】
特許文献３の吸引ボタンでは、その軸先端部を所定ストローク量の半分だけ押し込む半押し操作により負圧源通路と大気との連通を遮断するが、この時の軸先端部の押込量の調整は困難であり、誤って軸先端部を押し込み過ぎることにより術者が意図しないタイミングで吸引が開始されてしまうという問題がある。
【００１１】
本発明は上記課題を解決するためになされたものであり、簡単な操作で吸引ＯＮ操作時から高い吸引圧力で吸引を行うことができる内視鏡の吸引ボタンを提供することを目的とする。
【課題を解決するための手段】
【００１２】
上記目的を達成するため、本発明は、内視鏡の操作部に設けられるとともに、内視鏡挿入部の先端に開口した吸引口に通じる吸引通路と、負圧源に接続した負圧源通路とが接続されており、前記負圧源通路を大気に連通または大気との連通を遮断して前記吸引通路に連通させる内視鏡の吸引ボタンにおいて、前記操作部に設けられたシリンダであり、その一端がシリンダ開口で開放されるとともに他端が前記吸引通路に接続されたシリンダと、前記シリンダの管路内に開口した接続口に接続した前記負圧源通路とを有するシリンダ装置と、前記管路に移動自在に収容され、前記シリンダ開口から突出した軸先端部を有する本体軸部と、前記本体軸部の軸後端部に設けられた弁部とを有するプランジャであって、前記軸先端部が押圧操作されていないときに、前記弁部により前記負圧源通路と前記吸引通路との連通を遮断する遮断状態になり、押圧操作により前記軸先端部が前記シリンダ開口内に所定量押し込まれたときに、前記弁部による遮断が解除されて前記負圧源通路と前記吸引通路とを連通する連通状態になるプランジャと、前記シリンダ装置に設けられ、前記シリンダ開口の周辺部に開口した周辺開口を前記負圧源通路に連通させる通気路と、前記軸先端部とは別体に設けられ、前記プランジャが前記遮断状態であるときに前記周辺開口上で押圧操作を受ける押圧操作部と、前記周辺開口に対向する開口対向面とを有しており、前記押圧操作部が押圧操作されるまでは、前記開口対向面と前記周辺開口との間に隙間を形成することで前記通気路を介して前記負圧源通路を大気に連通させるとともに、前記押圧操作部が押圧操作されたときに、前記プランジャの前記遮断状態を解除することなく前記開口対向面を前記周辺開口に圧接させて当該周辺開口を塞ぐことで前記負圧源通路の大気との連通を遮断する大気連通制御手段と、を備えることを特徴とする。
【００１３】
前記大気連通制御手段は、前記軸先端部の先端に連結された蓋部と、前記周辺部に連結されるとともに、前記軸先端部の外周を囲むスカート部とが一体形成された弾性材料からなるキャップであり、前記蓋部上でかつ前記軸先端部に対して偏心した位置に前記押圧操作部が設けられているとともに、前記スカート部の前記周辺部に対向する面の一部が前記開口対向面になることが好ましい。
【００１４】
前記開口対向面は傾斜面であることが好ましい。さらに、前記傾斜面は、前記スカート部の内側から外側に向かうに従い次第に前記周辺部から離れるように傾斜していることが好ましい。
【００１５】
前記シリンダ開口の周辺部上で、かつ前記周辺開口よりも前記シリンダ開口に近い位置に当該シリンダ開口を囲む環状の筒部が形成されるとともに、前記軸先端部の先端に連結された蓋部と、前記軸先端部の外周を囲むスカート部と、前記筒部が嵌合する第１嵌合穴を有し、当該筒部に連結する環状の底部とが一体形成されてなるキャップを備え、前記大気連通制御手段は、前記周辺部と前記底部との間に設けられ、前記筒部が嵌合する第２嵌合穴を有し、前記周辺部を隙間をあけて覆う環状体であって、その底面の一部が前記開口対向面となる環状体と、前記蓋部上でかつ前記周辺開口の略上方に設けられた第１押圧操作部を有し、前記第１押圧操作部が押圧操作されたときに、前記キャップを介して前記環状体を前記周辺開口に圧接させて当該周辺開口を塞ぐ押圧ブロックと、前記環状体と前記押圧ブロックとを連結する連結アームとを備えることが好ましい。
【００１６】
前記環状体は、弾性材料からなり、内縁部から外縁部に向かうに従い次第に前記周辺部から離れる略凹錐形状に形成されているとともに、当該環状体における前記押圧ブロックと前記周辺開口との間に位置する開口対向部分の底面が前記開口対向面となり、前記押圧ブロックは、前記蓋部の外周側に位置する第２押圧操作部を有するとともに、前記連結アームは、前記プランジャの軸方向に長く延びた略柱形状を有しており、前記スカート部の側方を通って、前記第２押圧操作部と前記開口対向部分の外縁部とを連結しており、前記第１押圧操作部の押圧操作解除後に前記第２押圧操作部が押圧操作されたときに、前記連結アームを介して前記開口対向部分の外縁部が押圧されることで当該開口対向部分の内縁部に前記周辺部から離れる方向の力が作用して、この力により前記開口対向面が前記周辺開口から離れることが好ましい。
【００１７】
前記キャップは、前記プランジャを前記遮断状態で維持することが好ましい。また、前記周辺開口の周縁部、及び前記開口対向面の少なくともいずれか一方が粘着性を有していることが好ましい。
【００１８】
前記周辺開口の周縁部に、当該周辺開口を囲むように略環状の凸部が形成されていることが好ましい。また、前記プランジャは、前記弁部の底面に開口した底面開口と前記本体軸部の側面に開口した側面開口とを連通する内部管路とを有しており、前記遮断状態時には前記接続口に対して前記側面開口の位置がシリンダ一端側にずれるとともに、前記弁部が前記接続口を塞ぐことで前記負圧源通路と前記吸引通路との連通を遮断し、前記連通状態時には前記弁部がシリンダ他端側にずれて前記接続口を開放するとともに、前記側面開口が前記接続口の略前方に移動することで、前記負圧源通路と前記吸引通路とを連通することが好ましい。
【発明の効果】
【００１９】
本発明の内視鏡の吸引ボタンは、負圧源に通じる負圧源通路に開口した通路内開口と、シリンダ開口の周辺部に開口した周辺開口とを接続する通気路をシリンダ装置に設け、プランジャによる負圧源通路と吸引通路との連通の遮断を解除することなく周辺開口を開閉可能にしたので、上記特許文献３に記載されているような複雑な半押し操作を行うことなく、簡単な操作で吸引開始操作の直後から高い吸引圧力で吸引を行うことができる。これにより、術者の意図しないタイミングで吸引が開始されてしまうことが防止される。
【図面の簡単な説明】
【００２０】
【図１】内視鏡の吸引機構の概略図である。
【図２】吸引ＯＦＦ時の吸引ボタンの断面図である。
【図３】吸引ＯＮ時の吸引ボタンの断面図である。
【図４】（Ａ）は弁ガイド部材の断面図、（Ｂ）は弁ガイド部材の斜視図である。
【図５】通気路の断面を拡大した拡大図である。
【図６】（Ａ）、（Ｂ）ともにプランジャの斜視図である。
【図７】（Ａ）はキャップの断面図、（Ｂ）はキャップを上面から見た斜視図、（Ｃ）はキャップを底面から見た斜視図である。
【図８】（Ａ）は吸引ＯＦＦ時の吸引ボタンの断面図、（Ｂ）は（Ａ）中の通気路を拡大した拡大断面図である。
【図９】（Ａ）は通気遮断操作時の吸引ボタンの断面図、（Ｂ）は（Ａ）中の通気路を拡大した拡大断面図である。
【図１０】吸引ＯＮ時の吸引ボタンの断面図である。
【図１１】本発明の吸引ポンプで連通遮断操作を行った際の吸引ポンプのポンプ圧の時間変化を説明するための説明図である。
【図１２】吸引ＯＦＦ時における、第２実施形態の吸引ボタンの断面図である。
【図１３】吸引ＯＮ時における、第２実施形態の吸引ボタンの断面図である。
【図１４】（Ａ）、（Ｂ）ともに第２実施形態のプランジャの斜視図である。
【図１５】（Ａ）は第２実施形態のキャップの断面図、（Ｂ）は同キャップを上面から見た斜視図、（Ｃ）は同キャップを底面から見た斜視図である。
【図１６】（Ａ）は開閉用操作部材を上面から見た斜視図であり、（Ｂ）は開閉用操作部材を底面から見た斜視図である。
【図１７】（Ａ）は吸引ＯＦＦ時の第２実施形態の吸引ボタンの断面図、（Ｂ）は（Ａ）中の通気路を拡大した拡大断面図である。
【図１８】通気遮断操作時の第２実施形態の吸引ボタンの断面図、（Ｂ）は（Ａ）中の通気路を拡大した拡大断面図である。
【図１９】通気遮断を解除するときの吸引ボタンの断面図、（Ｂ）は（Ａ）中の通気路を拡大した拡大断面図である。
【図２０】吸引ＯＮ時の第２実施形態の吸引ボタンの断面図である。
【図２１】通気用開口の周縁部に粘着層を形成した他実施形態の吸引ボタンを説明するための説明図である。
【図２２】従来の吸引ボタンの断面図であり、（Ａ）が吸引ＯＦＦ時、（Ｂ）が吸引ＯＮ時を示している。
【発明を実施するための形態】
【００２１】
［第１実施形態］
図１に示すように、内視鏡１０は、例えば気管に挿入する気管支鏡であり、気管内に挿入される挿入部１１と、挿入部１１の後端部分に連設された操作部１２と、図示しないプロセッサ装置や光源装置などに接続されるユニバーサルコード１３とを備えている。
【００２２】
挿入部１１には、鉗子等の処置具を挿入するための鉗子チャネル１４が設けられている。この鉗子チャネル１４の一端は、挿入部１１の先端面に設けられた吸引／鉗子口（以下、単に吸引口という）１５に接続し、他端は操作部１２に設けられた鉗子入口１６に接続している。この鉗子入口１６は、処置具を挿入するとき以外は鉗子栓（図示せず）により閉塞されている。なお、鉗子入口１６にシリンジ（図示せず）を接続し、このシリンジから生理食塩水等の洗浄水を注入した場合には、この洗浄水は鉗子チャネル１４を通って吸引口１５から噴出する。
【００２３】
また、挿入部の先端には、吸引口１５の他に、観察窓や照明窓（図示せず）が設けられている。観察窓の奥には固体撮像素子（図示せず）などが取り付けられている。照明窓の奥には光ファイバケーブル（図示せず）が配置されている。固体撮像素子の信号線や光ファイバケーブルは、挿入部１１やユニーバルコード１３などを経て、上述のプロセッサ装置、光源装置にそれぞれ接続される。
【００２４】
鉗子チャネル１４は、吸引口１５から血液等の体液や体内汚物等の固形物などを吸引するための経路として用いられる。操作部１２内には、鉗子チャネル１４から分岐した吸引通路１７が設けられている。この吸引通路１７は、操作部１２に設けられた吸引ボタン１８に接続している。
【００２５】
吸引ボタン１８は、吸引通路１７の他に操作部１２外において、吸引ポンプ（負圧源）２０に通じる負圧源通路２１に接続している。吸引ボタン１８は、押圧操作またはその押圧操作の解除により、吸引通路１７と負圧源通路２１との連通／遮断を切り替える。吸引ポンプ２０は、内視鏡検査中は吸引を常時行う。
【００２６】
吸引ＯＦＦ時の状態を示す図２、及び吸引ＯＮ時の状態を示す図３において、吸引ボタン１８は、大別して操作部１２に固定された弁ガイド部材（シリンダ装置）２４と、この弁ガイド部材２４内に収容されたプランジャ２５と、弁ガイド部材２４及びプランジャ２５を連結するキャップ２６とで構成される。なお、以下の説明では、図中上方側を先端側、図中下方側を後端側という。
【００２７】
操作部１２の筐体２８には略管状の弁ケーシング２７が固定されており、弁ガイド部材２４を操作部１２に連結する。弁ケーシング２７は、その先端部が筐体２８の外側に突出し、その後端部が筐体２８の内側に突出した状態で筐体２８に固定されている。弁ケーシング２７内には、その軸方向に長く延びた管路３１が形成されている。弁ケーシング２７の後端部には、吸引通路１７に接続する吸引接続口３２が設けられており、この吸引接続口３２を介して管路３１と吸引通路１７とが連通する。また、管路３１の先端側の開口には弁ガイド部材２４が連結される。
【００２８】
弁ガイド部材２４は、その後端部に設けられた略筒状の挿嵌部３４が弁ケーシング２７の先端側の開口に嵌合して連結されており、管路３１と同心の管路を有している。弁ガイド部材２４の先端部には、プランジャ２５の軸先端部を突出させるためのシリンダ開口３５（図４参照）が形成されている。
【００２９】
シリンダ先端の端面（以下、シリンダ端面という、図４参照）２４ａ上には、キャップ２６と連結する円筒部３７が設けられている。円筒部３７の先端面（以下、筒先端面という、図４参照）３７ａには上述のシリンダ開口３５が開口している。円筒部３７の先端の外周面にはフランジ３８が形成されている。フランジ３８には、その一部を平面状に切り欠かくことにより、キャップ２６との回転止めに用いられる第１キャップ回転止め面３８ａ（図４（Ｂ）参照）が形成されている。また、フランジ３８の底面と、円筒部３７の外周面と、シリンダ端面２４ａとにより、キャップ２６が連結する略環状のシリンダ用キャップ取付溝３９（図４（Ａ）参照）が形成されている。
【００３０】
図４（Ａ）に示すように、弁ガイド部材２４内には、管路３１等を介して吸引通路１７に接続し、管路３１に対して平行に長く延びた第１管路４０と、第１管路４０の先端側で第１管路４０と同軸に延び、先端が上述のシリンダ開口３５として解放されるとともに、第１管路４０よりも細径の第２管路４１と、第２管路４１の後端と第１管路４０の先端を接続する略錐形状の第３管路４２とが設けられている。
【００３１】
図４（Ｂ）に示すように、弁ガイド部材２４における第３管路４２の側方に位置する部分には、負圧源通路２１に接続する接続パイプ４４が設けられている。この接続パイプ４４は、第１〜第３管路４０〜４２に対して略直交する方向に長く延びており、負圧源通路２１の一部を構成している。第３管路４２の内壁には、接続パイプ４４に通じる接続口４５が開口している。
【００３２】
図５に示すように、弁ガイド部材２４には、本発明のシリンダ開口の周辺部に相当するシリンダ端面２４ａ上に開口した通気用開口（周辺開口）４７と、接続パイプ４４の負圧源通路２１内に開口した通路内開口４８とを接続する通気路４９が設けられている。これにより、通気路４９を介して、負圧源通路２１を大気と連通させることができる。また、また、通気用開口４７の周縁部には、この通気用開口４７を囲むように環状凸部５０が形成されている。
【００３３】
図２及び図３に戻って、プランジャ２５は、弁ガイド部材２４にその軸方向に移動自在に収容されており、押圧操作または押圧解除により吸引通路１７と負圧源通路２１との連通／遮断を切り替える。このプランジャ２５は、弁ガイド部材２４の各管路４０〜４２の軸方向に長く延びた略円柱状の本体軸部５２と、略錐形状の弁部（以下、錐形弁部という）５３とが一体形成されてなる。本体軸部５２は、第２管路４１にその軸方向に移動自在に装着されており、その軸先端部５２ａがシリンダ開口３５から突出している。
【００３４】
軸先端部５２ａには、その外周にキャップ２６を連結するための略環状のプランジャ用キャップ取付溝５４が形成されている（図６（Ａ），（Ｂ）参照）。また、軸先端部５２ａのプランジャ用キャップ取付溝５４よりも先端側部分には、その一部を平面状に切り欠かくことによって、キャップ２６との回転止めに用いられる第２キャップ回転止め面５５（図６（Ｂ）参照）が形成されている。軸先端部５２ａの先端は、押圧操作を受ける押圧操作面５６となる。この押圧操作面５６は、キャップ２６の蓋部６２の表面形状に沿うように傾斜面状に形成されている。
【００３５】
錐形弁部５３は、本体軸部５２の軸後端部５２ｂに設けられており、外周壁が第３管路４２の内壁に沿う形状を有している。この錐形弁部５３は、本体軸部５２の移動に応じて第２管路４１及び第３管路４２内を移動する。
【００３６】
プランジャ２５は、押圧解除時に、錐形弁部５３が第３管路４２の内壁に当接して接続口４５を塞ぐことにより、吸引通路１７と負圧源通路２１との連通を遮断する遮断状態になる。また、プランジャ２５は、その軸先端部５２ａが押圧操作によりシリンダ開口３５内に所定量押し込まれたときに、錐形弁部５３が第３管路４２の内壁から離れて接続口４５を開放することで、吸引通路１７と負圧源通路２１とを連通する連通状態になる。なお、ここでいう所定量とは、例えば、キャップ２６が筒先端面３７ａの端面に当接してさらなる押し込みが規制されるまでの押し込み量である。
【００３７】
図６（Ａ）、（Ｂ）に示すように、プランジャ２５には、本体軸部５２の側面に開口した側面開口５８と、錐形弁部５３の底面に開口した底面開口５９とを連通する内部管路６０が設けられている。側面開口５８は、プランジャ２５が連通状態にあるときに、接続口４５の略前方に位置する部分に設けられている。内部管路６０は、プランジャ２５が連通状態にあるときに、底面開口５９に流入した各種体液や固形物を側面開口５８へ案内する。この内部管路６０の径は、本体軸部５２内では一定であるが、錐形弁部５３内では底面開口５９に近づくのに従って次第に増加する。
【００３８】
図２及び図３に戻って、キャップ２６は、例えばゴムなどの弾性材料で形成されている。キャップ２６は、軸先端部５２ａの先端に連結される略円板状の蓋部６２と、蓋部６２、軸先端部５２ａ、及び弁ガイド部材２４の先端部を囲む略筒形状を有し、弁ガイド部材２４の先端部に連結されるスカート部６３とが一体形成されてなる。
【００３９】
図７（Ａ）に示すように、蓋部６２には、その中心にプランジャ２５が貫通する貫通穴６５が形成されている。貫通穴６５は、蓋部６２の上面に開口しており、軸先端部５２ａの先端（プランジャ用キャップ取付溝５４よりも先端側）が嵌合する嵌合穴６６と、この嵌合穴６６の底面と蓋部６２の底面を貫通し、軸先端部５２ａにおけるプランジャ用キャップ取付溝５４の形成部分が挿通する挿通穴６７が形成されている。
【００４０】
嵌合穴６６の側壁面には、軸先端部５２ａの第２キャップ回転止め面５５に当接する略平面状のプランジャ回転止め面６９が形成されている。これにより、プランジャ２５とキャップ２６とが回転規制される。また、蓋部６２における、挿通穴６７の内壁を構成する第１環状凸部７０は、軸先端部５２ａのプランジャ用キャップ取付溝５４に嵌合する。これにより、蓋部６２と軸先端部５２ａとが連結する。
【００４１】
スカート部６３は、その先端部が蓋部６２の外周と一体化しており、後端部にはその内側に向かって突出した第２環状凸部（底部）７１が設けられている。第２環状凸部７１は、シリンダ用キャップ取付溝３９に嵌合する。これにより、円筒部３７が第２環状凸部７１の内周により形成される嵌合穴（第１嵌合穴）７１ａに嵌合した状態でキャップ２６と弁ガイド部材２４とが連結する（図２、図３参照）。
【００４２】
第２環状凸部７１の上面には、その開口周縁部を切り欠くことにより、フランジ３８が嵌合するフランジ嵌合穴７２が形成されている。このフランジ嵌合穴７２の内壁には、フランジ３８の第１キャップ回転止め面３８ａに当接する略平面状のガイド部材回転止め面７３が形成されている。これにより、弁ガイド部材２４とキャップ２６とが回転規制される。さらに、このキャップ２６を介して、弁ガイド部材２４とプランジャ２５とが間接的に回転規制される。これら両者の間接的な回転規制により、連通状態時のプランジャ２５の側面開口５８を接続口４５に略対向させることができる。
【００４３】
図７（Ｂ）に示すように、蓋部６２の上面には、通気用開口４７の上方の位置であって、蓋中心（具体的には軸先端部５２ａ）に対して偏心した位置に、凸円弧形状の押圧操作部７４が設けられている。この押圧操作部７４は、術者からの押圧操作を受ける。
【００４４】
図７（Ｃ）に示すように、第２環状凸部７１のシリンダ端面２４ａに対向する対向面７１ｂには、通気用開口４７と対向する位置（押圧操作部７４の下方の位置でもある）に傾斜面（開口対向面）７５が形成されている。傾斜面７５は、対向面７１ｂの外周部の一部を切り欠くことにより形成されており、スカート部６３の内周から外周に向かうに従って次第にシリンダ端面２４ａから離れるように傾斜している（図８参照）。
【００４５】
図２及び図３に戻って、キャップ２６は、プランジャ２５を図中上方向に向けて付勢することで、このプランジャ２５を遮断状態で維持する。蓋部６２は、押圧操作面５６に対する押圧操作により軸先端部５２ａがシリンダ開口３５内に押し込まれることに伴い、円筒部３７に向けて移動する。
【００４６】
スカート部６３は、押圧操作による蓋部６２の移動に伴い、プランジャ２５の径方向に拡径するとともにその軸方向に収縮（以下、適宜弾性変形という）する。弾性変形したスカート部６３は、押圧操作面５６に対する押圧操作が解除されたときに弾性復元力により元の形状に復元する。また、スカート部６３は、押圧操作部７４が押圧操作されたときは、全体が一様に弾性変形することなく、押圧操作部７４の略直下に位置する部分（以下、単に直下部分という）６３ａが略くの字状に弾性変形する。
【００４７】
傾斜面７５は通気用開口４７を開閉する。傾斜面７５は、押圧操作部７４が押圧操作されていない場合、通気用開口４７及びシリンダ端面２４ａとの間に隙間Ｓ（図８（Ｂ）参照）を形成する。また、傾斜面７５は、押圧操作部７４に対する押圧操作により直下部分６３ａが略くの字状に弾性変形した場合、通気用開口４７及びシリンダ端面２４ａに圧接する。
【００４８】
次に、上記構成の吸引ボタン１８の作用について説明を行う。内視鏡検査時には、吸引ポンプ２０による吸引が常時行われる。このとき、吸引を行わない通常時においては、図８（Ａ）に示すように、キャップ２６によりプランジャ２５が遮断状態で維持されるので、錐形弁部５３の外周壁が第３管路４２の内壁に押し付けられた状態となる。錐形弁部５３の外周壁は第３管路４２の内壁にフィットする形状であるので、この外周壁は接続口４５の周縁に隙間なく密着する。これにより、吸引通路１７と負圧源通路２１との連通が遮断されて、吸引口１５からの吸引が停止した状態となる。
【００４９】
図８（Ｂ）に示すように、通常時において押圧操作部７４が押圧操作されていないときは、キャップ２６のスカート部６３及びその直下部分６３ａが弾性変形しておらず、第２環状凸部７１がシリンダ端面２４ａに向けて押圧されてはいない。このため、第２環状凸部７１の傾斜面７５は、通気用開口４７やシリンダ端面２４ａに圧接しておらず、両者の間には隙間Ｓが形成されている。従って、通気路４９は開放されている。これにより、図８（Ａ）中の矢印で示すように負圧源通路２１が大気と連通するため、接続口４５が錐形弁部５３で塞がれている場合でも、吸引ポンプ２０の負荷の増加が抑えられる。
【００５０】
吸引を行う場合には、その前に図９（Ａ）に示すように、押圧操作部７４が押圧操作（以下、適宜通気遮断操作という）される。この通気遮断操作により、スカート部６３の直下部分６３ａが略くの字状に弾性変形して、第２環状凸部７１における押圧操作部７４の略直下に位置する部分（傾斜面７５が形成されている部分）がシリンダ端面２４ａに向けて押圧される。その結果、傾斜面７５が通気用開口４７に圧接する。
【００５１】
この際に、押圧操作部７４は、蓋部６２の中心に対して偏心した位置に設けられているので、この押圧操作部７４が押圧操作されても、プランジャ２５は移動しないあるいは移動してもその移動量は僅かであるので、プランジャ２５の遮断状態が解除されることはない。このため、上記特許文献３に記載されているような複雑な半押し操作を行うことなく、押圧操作部７４を押圧操作するだけの極めて簡単な操作で負圧源通路２１を大気と連通させることができる。これにより、術者の意図しないタイミングで吸引が開始されてしまうことが防止される。
【００５２】
図９（Ｂ）に示すように、傾斜面７５が通気用開口４７に圧接した際に、この通気用開口４７は、環状凸部５０によってシリンダ端面２４ａよりも一段高い位置で開口しているので、シリンダ端面２４ａ上に開口した場合よりも傾斜面７５が通気用開口４７に密着し易くなる。このため、通気用開口４７を傾斜面７５で確実に塞ぐことができる。これにより、図９（Ａ）中の１点鎖線で示すように負圧源通路２１と大気との連通が遮断されるので、吸引ポンプ２０のポンプ圧が上昇する。
【００５３】
なお、通気遮断操作が解除されると、スカート部６３の直下部分６３ａが元の形状に復元することにより、上述の図８（Ｂ）で説明したように傾斜面７５と通気用開口４７との間に隙間Ｓが形成されて、負圧源通路２１が再び大気と連通する。
【００５４】
通気遮断操作後、図１０に示すように、押圧操作面５６が押圧操作（以下、適宜吸引ＯＮ操作という）されると、通気用開口４７が傾斜面７５で塞がれた状態が維持されつつ、軸先端部５２ａがキャップ２６の弾性力に抗してシリンダ開口３５内に押し込まれる。これにより、蓋部６２が円筒部３７に向けて移動するとともに、スカート部６３が蓋部６２とシリンダ端面２４ａとの間で圧縮されて弾性変形する。そして、蓋部６２が筒先端面３７ａに当接するまで軸先端部５２ａが押し込まれると、プランジャ２５が遮断状態から連通状態に切り替わって、錐形弁部５３が第３管路４２の内壁から離れることで接続口４５が開放される。
【００５５】
接続口４５が開放されると、負圧源通路２１と吸引通路１７とが連通して、吸引口１５から各種体液や固形物（以下、吸引物という）が吸引される。吸引物は、吸引通路１７、吸引接続口３２、及び管路３１を経て、弁ガイド部材２４の第１管路４０内に流入した後、内部管路６０内を通って接続口４５から負圧源通路２１内に流入して、内視鏡１０の外部に排出される。
【００５６】
吸引を停止する場合には、押圧操作面５６に対する押圧操作が解除（以下、適宜吸引ＯＦＦ操作という）される。これにより、スカート部６３が弾性復元力によって元の形状に復元するため、蓋部６２及びプランジャ２５が引き上げられる。これにより、プランジャ２５が連通状態から遮断状態に切り替わるため、上述の図８（Ａ）で説明したように、錐形弁部５３により負圧源通路２１と吸引通路１７との連通が遮断されて、吸引口１５からの吸引が停止される。また、スカート部６３の直下部分６３ａが元の形状に復元することにより、上述したように負圧源通路２１が大気と連通する。
【００５７】
図１１に示すように吸引ボタン１８では、吸引ＯＮ操作前に予め通気遮断操作を行うことで、図中の太線で示すように吸引ポンプ２０のポンプ圧（負圧源通路２１の負圧吸引力も同様）が上昇している。このため、吸引ＯＮ操作を行ったときにポンプ圧は十分に高くなっている。また、吸引ＯＦＦ操作を行った後、次の吸引ＯＮ操作を行う前に通気遮断操作を行うことで、次の吸引ＯＮ操作時にもポンプ圧を十分に高くしておくことができる。
【００５８】
一方、上述の図２２で説明したような従来の吸引ボタンでは、吸引ＯＮ操作と同時に負圧源通路２１と大気との連通が遮断される。このため、図中の細線で示すように吸引ＯＮ操作時点の吸引ポンプのポンプ圧は略最小であり、吸引ＯＮ操作後にポンプ圧が上昇する。このため、吸引ＯＮ操作時を０秒としたときに、従来の吸引ボタンでは、ポンプ圧が本発明の吸引ボタン１８を用いたときのレベルに達するまでに約１０秒程度かかる（図中の２点鎖線で表示）。吸引口１５からの吸引物の吸引時間は通常２秒程度であるので、従来の吸引ボタンでは低い吸引圧力でしか吸引を行うことができず、吸引物の吸引が上手くいかなかったり、あるいは吸引に時間がかかったりするおそれがある。
【００５９】
このような従来の吸引ボタンに対して本発明の吸引ボタン１８は、吸引ＯＮ操作前の通気遮断操作により、プランジャ２５の遮断状態を維持しつつ負圧源通路２１と大気との連通を遮断して吸引ポンプ２０のポンプ圧を十分に高めることができるので、吸引ＯＮ操作時点から高い吸引圧力で吸引を行うことができ、吸引物の吸引を確実かつ短時間で行うことができる。
【００６０】
［第２実施形態］
次に、本発明の第２実施形態の吸引ボタン８０について説明を行う。上記第１実施形態の吸引ボタン１８では、キャップ２６の傾斜面７５により通気用開口４７を開閉しているが、吸引ボタン８０では、キャップ２６とは別の部材を用いて通気用開口４７の開閉を行う。なお、第１実施形態の吸引ボタン１８と機能・構成上同一のものについては、同一符号を付してその説明は省略する。
【００６１】
吸引ＯＦＦ時の状態を示す図１２、及び吸引ＯＮ時の状態を示す図１３において、吸引ボタン８０は、上述の弁ガイド部材２４の他に、プランジャ８２と、キャップ８３と、開閉用操作部材（大気連通制御手段）８４とを備えている。
【００６２】
図１４に示すように、プランジャ８２は、キャップ８３の表面形状に応じて押圧操作面５６ａが平面状に形成されている点を除けば、第１実施形態のプランジャ２５と同じ構造であるので、その詳細についての説明は省略する。
【００６３】
図１５（Ａ）〜（Ｃ）に示すように、キャップ８３は、大別して略円板状の蓋部８６と、略筒形状のスカート部８７とからなり、基本的には上記第１実施形態のキャップ２６と同じ構造である。ただし、蓋部８６には、上述の押圧操作部７４の代わりに、通気用開口４７の上方の位置であって、蓋中心に対して偏心した位置に切り欠き面８８が形成されている。また、スカート部８７の後端部には、第１実施形態の第２環状凸部７１とは異なる形状の第２環状凸部８９が形成されている。
【００６４】
第２環状凸部８９は、上述の傾斜面７５が形成されていない点を除けば、基本的には第１実施形態の第２環状凸部７１と同じ構造であり、フランジ嵌合穴７２やガイド部材回転止め面７３が形成されている。そして上記第１実施形態と同様に、この第２環状凸部８９により形成される嵌合穴（第１嵌合穴）８９ａに円筒部３７が嵌合する。
【００６５】
図１６（Ａ）、（Ｂ）に示すように、開閉用操作部材８４は、弾性材料からなり、大別して環状体９１と押圧ブロック９２と連結アーム９３とが一体形成されてなる。環状体９１は、円筒部３７が嵌合する嵌合穴（第２嵌合穴）９４を有しており、キャップ８３の第２環状凸部８９とシリンダ端面２４ａとの間に取り付けられている。
【００６６】
また、環状体９１は、その内縁部９１ａから外縁部９１ｂに向かうに従い次第にシリンダ端面２４ａから離れる略凹錐形状を有している。このため、環状体９１の底面９１ｃが傾斜面となる。なお、符号９１ｄは、通気遮断操作部９２ａと通気用開口４７との間に位置する環状体９１の開口対向部分である。この開口対向部分９１ｄの底面９１ｃが、本発明の開口対向面に相当する。
【００６７】
押圧ブロック９２は、蓋部８６及び通気用開口４７の略上方に設けられている。この押圧ブロック９２の一端部は、切り欠き面８８上に位置しており、通気用開口４７を閉塞する際に押圧操作される通気遮断操作部（第１押圧操作部）９２ａとなる。また、押圧ブロック９２の他端部は、蓋部８６の外周側に位置しており、通気用開口４７を開放する際に押圧操作される通気操作部（第２押圧操作部）９２ｂとなる。
【００６８】
連結アーム９３は、略柱形状を有しており、スカート部８７の側方を通って、押圧ブロック９２の通気操作部９２ｂと、環状体９１の開口対向部分９１ｄの外縁部９１ｂとを連結している。
【００６９】
図１２及び図１３に戻って、シリンダ端面２４ａ上でかつ通気用開口４７の周縁部には、第１実施形態の環状凸部５０とは異なる形状の環状凸部９５が形成されている。この環状凸部９５の先端面は、環状体９１の底面の形状に沿うように略テーパ面状に形成されている。
【００７０】
次に、上記構成の吸引ボタン８０の作用について説明を行う。図１７（Ａ）に示すように、吸引ＯＮ操作前は、上記第１実施形態で説明したように、錐形弁部５３により吸引通路１７と負圧源通路２１との連通が遮断されて、吸引口１５からの吸引が停止している。この際に、図１７（Ｂ）に示すように、通気遮断操作部９２ａが押圧操作される前では、環状体９１の底面９１ｃは通気用開口４７やシリンダ端面２４ａに圧接しておらず、両者の間には隙間Ｓが形成されている。従って、通気路４９は開放されており、負圧源通路２１が大気と連通している。
【００７１】
吸引ＯＮを行う前に、図１８（Ａ）に示すように、通気遮断操作部９２ａが押圧操作される。この操作により、通気遮断操作部９２ａが切り欠き面８８に圧接することで、キャップ８３を介して、環状体９１の開口対向部分９１ｄが通気用開口４７及びシリンダ端面２４ａに向けて押圧される。この押圧操作により、開口対向部分９１ｄが弾性変形して、その底面９１ｃが通気用開口４７に圧接する。この際に、通気遮断操作部９２ａや切り欠き面８８は、蓋部８６の中心に対して偏心した位置に設けられているので、上記第１実施形態と同様にプランジャ２５の遮断状態が解除されることはない。従って、上記第１実施形態と同様に、簡単な操作で負圧源通路２１を大気と連通させることができる。
【００７２】
図１８（Ｂ）に示すように、開口対向部分９１ｄの底面９１ｃが通気用開口４７に圧接した際に、この通気用開口４７は、環状凸部９５によってシリンダ端面２４ａよりも一段高い位置でかつ底面９１ｃに沿う形状で開口しているので、底面９１ｃが通気用開口４７に密着し易くなる。このため、通気用開口４７を確実に塞ぐことができる。これにより、負圧源通路２１と大気との連通が遮断されて、吸引ポンプ２０のポンプ圧が上昇する。ここで、開口対向部分９１ｄの底面９１ｃは、通気用開口４７からの吸引により、この通気用開口４７に密着した状態で維持される。
【００７３】
なお、引き続き吸引を行わない場合には、図１９（Ａ）に示すように、通気操作部９２ｂが押圧操作される。この操作により、連結アーム９３を介して、開口対向部分９１ｄの外縁部９１ｂがシリンダ端面２４ａに向けて押圧される。その結果、開口対向部分９１ｄの内縁部９１ａに対して、シリンダ端面２４ａから離れる方向の力が作用する。これにより、図１９（Ｂ）に示すように、開口対向部分９１ｄの底面９１ｃが通気用開口４７から離れるため、この底面９１ｃと通気用開口４７との間に隙間Ｓが形成されて、負圧源通路２１が大気と連通する。
【００７４】
逆に吸引を開始する場合には、図２０に示すように、押圧操作面５６ａが押圧操作される。この操作により、通気用開口４７が塞がれた状態を維持しつつ、接続口４５が開放されて吸引通路１７と負圧源通路２１とが連通する。上記第１実施形態と同様に、吸引ＯＮ操作前に吸引ポンプ２０のポンプ圧を十分に高めることができるので、上記第１実施形態と同様の効果が得られる。
【００７５】
吸引を停止する場合には、押圧操作面５６ａに対する押圧操作を解除することにより、上述の図１７（Ａ）で説明したように、負圧源通路２１と吸引通路１７との連通が遮断されて、吸引口１５からの吸引が停止される。なお、この際に、通気用開口４７が開口対向部分９１ｄにより塞がれている場合には、上述の図１９（Ａ）、（Ｂ）で説明したように、通気操作部９２ｂを押圧操作することで通気用開口４７が開放される。
【００７６】
上記第１実施形態では、傾斜面７５が通気用開口４７に密着し易いように、この通気用開口４７の周縁部に環状凸部５０を形成しているが、例えば、図２１に示すように、通気用開口４７の周縁部に粘着層９８を形成するようにしてもよい。粘着層９８は、上述の吸引ＯＮ操作時に傾斜面７５が密着し、上述の吸引ＯＦＦ操作時に傾斜面７５との密着が解除される程度の粘着力を持つ材料で形成されていることが好ましい。また、通気用開口４７の周縁部に粘着層９８を形成する代わりに、傾斜面７５に粘着層９８を形成してもよく、あるいは両方に粘着層９８を形成してもよい。さらに、図中では通気用開口４７の周縁部に環状凸部５０が形成されているが、粘着層９８を形成する場合には環状凸部５０を形成しなくともよい。
【００７７】
なお、上記図２１の実施形態では、第１実施形態の通気用開口４７の周縁部などに粘着層９８を形成した場合を例に挙げて説明を行ったが、第２実施形態の通気用開口４７の周縁部、及び開口対向部分９１ｄの底面９１ｃのいずれか一方に粘着層９８を形成してもよい。
【００７８】
上記各実施形態では、キャップ２６の傾斜面７５や開閉用操作部材８４などにより通気用開口４７を開閉する場合について説明を行ったが、プランジャ２５，８２をほぼ移動させることなく通気用開口４７の開閉が可能なものであればその構造・形状・材質などは特に限定はされない。
【００７９】
上記実施形態では、通気路４９の通気用開口４７と通路内開口４８とが同一直線上で開口しているが、両開口４７，４８の位置がずれていてもよい。また、通気用開口４７の開口位置は、シリンダ開口３５の周辺部上であれば特に限定はされない。
【００８０】
上記実施形態では、キャップ２６のスカート部６３の弾性復元力により、プランジャ２５を遮断状態で維持しているが、例えば、蓋部６２と弁ガイド部材２４の先端面との間にコイルバネ等を装着して、このコイルバネの付勢力によりプランジャ２５を遮断状態で維持してもよい。
【００８１】
上記実施形態では、錐形弁部５３を有するプランジャ２５を備えた吸引ボタンを例に挙げて説明を行ったが、プランジャの形状は特に限定されず、各種形状のプランジャを備える吸引ボタンに本発明を適用することができる。
【００８２】
上記実施形態では、弁ガイド部材２４の管路の一部を錐形管路（第３管路４２）とし、この錐形管路上の接続口４５を開閉する錐形弁部５３をプランジャ２５に設けているが、弁ガイド部材の管路を、例えば図２２に示したような略直管形状にするとともに、この直管管路上の接続口を開閉するためにプランジャの弁部も略直管形状にしてもよい。また、この弁部の一部としてＯリング等のシール材を装着してもよい。
【００８３】
上記実施形態では、気管に挿入する内視鏡１０に設けられた吸引ボタン１８を例に挙げて説明を行ったが、例えば大腸に挿入される大腸内視鏡等の各種内視鏡に設けられている吸引ＯＮ／ＯＦＦ切替用の吸引ボタンにも本発明を適用することができる。
【符号の説明】
【００８４】
１０  内視鏡
１５  吸引口
１７  吸引通路
１８  吸引ボタン
２０  吸引ポンプ
２１  負圧源通路
２４  弁ガイド部材
２５，８２  プランジャ
２６，８３  キャップ
３５  シリンダ開口
４５  接続口
４７  通気用開口
４８  通路内開口
４９  通気路
５０，９５  環状凸部
５２  本体軸部
５３  錐形弁部
５８  側面開口
５９  底面開口
６０  内部管路
６２，８６  蓋部
６３，８７  スカート部
７４  押圧操作部
７５  傾斜面
８４  開閉用操作部材
９１  環状体
９２  押圧ブロック
９３  連結アーム
【図１】
2012071021.tif 000003
【図２】
2012071021.tif 000004
【図３】
2012071021.tif 000005
【図４】
2012071021.tif 000006
【図５】
2012071021.tif 000007
【図６】
2012071021.tif 000008
【図７】
2012071021.tif 000009
【図８】
2012071021.tif 000010
【図９】
2012071021.tif 000011
【図１０】
2012071021.tif 000012
【図１１】
2012071021.tif 000013
【図１２】
2012071021.tif 000014
【図１３】
2012071021.tif 000015
【図１４】
2012071021.tif 000016
【図１５】
2012071021.tif 000017
【図１６】
2012071021.tif 000018
【図１７】
2012071021.tif 000019
【図１８】
2012071021.tif 000020
【図１９】
2012071021.tif 000021
【図２０】
2012071021.tif 000022
【図２１】
2012071021.tif 000023
【図２２】
2012071021.tif 000024